(57)【要約】【課題】外観の見栄えを損なうことなく塵芥収容箱と塵芥投入箱との連設部分上部間の隙間を覆って雨水などの浸入を防止する。【解決手段】前端が塵芥収容箱４の後端上部に回動自在に連結された鋼板製の前カバー８と、前カバー８の後端に前端が回動自在に連結されるとともに、後端が塵芥投入箱５の前端上部に回動自在に連結された鋼板製の後カバー８とから構成される。そして、塵芥収集車１の走行時において、前カバー８および後カバー９は、略水平に連続して塵芥収容箱４および塵芥投入箱５の連設部分上部を被覆する。一方、塵芥収容箱４に対する塵芥投入箱５の傾動時において、前カバー８および後カバー９がそれらの連結部を中心として上方に屈曲して、塵芥投入箱５の傾動に連動する。【選択図】図２
2008285318.tif 000002
【特許請求の範囲】
【請求項１】
車枠上に搭載された塵芥収集車の後面開口部に塵芥積込装置を備えた塵芥投入箱が傾動可能に連設されてなる塵芥収集車において、前端が塵芥収容箱の後端上部に回動自在に連結された鋼板製の前カバーと、前カバーの後端に前端が回動自在に連結されるとともに、後端が塵芥投入箱の前端上部に回動自在に連結された鋼板製の後カバーとからなり、走行時において、前カバーおよび後カバーが略水平に連続して塵芥収容箱および塵芥投入箱の連設部分上部を被覆する一方、塵芥収容箱に対する塵芥投入箱の傾動時において、前カバーおよび後カバーがそれらの連結部を中心として上方に屈曲することを特徴とする塵芥収集車の上部カバー。
【請求項２】
前記前カバーに、該前カバーを塵芥収容箱との連結部回りに回動するように付勢する付勢部材が設けられることを特徴とする請求項１記載の塵芥収集車の上部カバー。
【請求項３】
前記前カバーの後端または後カバーの前端のいずれか一方に、他方のカバーの端縁部に跨がるシール板が設けられることを特徴とする請求項１または２記載の塵芥収集車の上部カバー。
【請求項４】
前記塵芥投入箱に、後カバーの前端を支持する緩衝部材が設けられることを特徴とする請求項１、２、３のいずれかに記載の塵芥収集車の上部カバー。
【請求項５】
前記付勢部材がトーションバーであることを特徴とする請求項２記載の塵芥収集車の上部カバー。
【請求項６】
前記緩衝部材がクッションゴムであることを特徴とする請求項４記載の塵芥収集車の上部カバー。
【発明の詳細な説明】
【技術分野】
【０００１】
この発明は、塵芥収集車において、塵芥収容箱および該塵芥収容箱の後部に傾動自在に連設された塵芥投入箱の上部にわたって設けられた上部カバーに関するものである。
【背景技術】
【０００２】
一般に、車枠上に塵芥収容箱を傾動自在に搭載するとともに、塵芥収容箱の後面開口部に塵芥積込装置を備えた塵芥投入箱を傾動可能に連設した塵芥収集車が広く採用されている。このような塵芥収集車においては、塵芥積込装置を作動させて塵芥を塵芥収容箱に積込む一方、塵芥を排出する場合は、塵芥収容箱に対して塵芥投入箱を上方に傾動させて塵芥収容箱の後部を開放させるとともに、塵芥投入箱を傾動させた状態で塵芥収容箱を上方に傾動させることにより塵芥を外部に排出するようにしている。
【０００３】
ところで、塵芥排出時には、塵芥収容箱に対して塵芥投入箱を傾動させる必要があることから、塵芥収容箱と塵芥投入箱との連設部分上部間には構造上隙間が発生し、この隙間から雨水などが浸入することを避けることができない。このため、塵芥収集車においては、塵芥収容箱に対する塵芥投入箱の傾動を許容するとともに、塵芥収容箱および塵芥投入箱の連設部分上部間の隙間を通して雨水などが浸入するのを防止するため、柔軟性を有するキャンバスシートからなるカバーを塵芥投入箱と塵芥収容箱との上部間にわたって配設している（例えば、特許文献１参照）。
【０００４】
しかしながら、塵芥収容箱および塵芥投入箱の連設部分上部を柔軟なシートによって被覆する構造では、耐久性に乏しい上に、波打った外観を呈することから、塵芥収集車のデザインの向上を図る上で見栄えが低下するという問題があった。また、柔軟なシートでは、水密構造とすることは困難であり、雨水などの浸入を確実に防止することができないものであった。
【０００５】
このような問題に対応して、出願人は、先にプラスチック製カバーを塵芥収容箱の後端上部にヒンジ金具を介して回動自在に連結し、塵芥投入箱の傾動に連動してしカバーをヒンジ金具回りに回動させることにより、塵芥収容箱および塵芥投入箱の連設部分上部間の隙間を被覆して雨水などの浸入を防止することを提案している（例えば、特許文献２参照）。
【特許文献１】実開平１−７８６０４号公報
【特許文献２】特開２００５−３３００７５号公報
【発明の開示】
【発明が解決しようとする課題】
【０００６】
ところで、前述したプラスチック製カバーによって塵芥収容箱および塵芥投入箱との連設部分上部を被覆するものでは、カバーを強度上厚みのあるボックス形状に形成する必要がある他、塵芥収容箱の上方に突出する後端上部を覆うとともに、後方に延設されて塵芥投入箱の前端上部を覆う構造となっていることから、カバーの分だけ車高が大きくなるとともに、カバーが上方に突出して外観の見栄えを損なうという欠点があった。
【０００７】
本発明は、このような問題点に鑑みてなされたもので、外観の見栄えを損なうことなく塵芥収容箱と塵芥投入箱との連設部分上部間の隙間を覆って雨水などの浸入を防止することのできる塵芥収集車の上部カバーを提供するものである。
【課題を解決するための手段】
【０００８】
本発明は、車枠上に搭載された塵芥収集車の後面開口部に塵芥積込装置を備えた塵芥投入箱が傾動可能に連設されてなる塵芥収集車において、前端が塵芥収容箱の後端上部に回動自在に連結された鋼板製の前カバーと、前カバーの後端に前端が回動自在に連結されるとともに、後端が塵芥投入箱の前端上部に回動自在に連結された鋼板製の後カバーとからなり、走行時において、前カバーおよび後カバーが略水平に連続して塵芥収容箱および塵芥投入箱の連設部分上部を被覆する一方、塵芥収容箱に対する塵芥投入箱の傾動時において、前カバーおよび後カバーがそれらの連結部を中心として上方に屈曲することを特徴とするものである。
【０００９】
本発明によれば、走行時においては、前カバーおよび後カバーが略水平に連続して塵芥収容箱および塵芥投入箱の連設部分上部を被覆することから、塵芥収容箱および塵芥投入箱の連設部分上部間に発生する隙間を覆って雨水などの浸入を確実に防止することができる。しかも、塵芥収容箱の後端から塵芥投入箱の前端にかけてあたかも略水平な一枚の板材が配設される構成となって上方への突出部分を発生させることもないことから、塵芥収集車の外観の見栄えを損なうこともない。
【００１０】
なお、塵芥収容箱に対する塵芥投入箱の傾動時においては、前カバーおよび後カバーがそれらの連結部を中心として互いに回動して上方に向けてく字状に屈曲することから、塵芥投入箱の傾動に連動させることができる。
【００１１】
この結果、外観の見栄えを損なうことなく塵芥収容箱と塵芥投入箱との連設部分上部間の隙間を覆って雨水などの浸入を防止することができる。
【００１２】
本発明において、前記前カバーに、該前カバーを塵芥収容箱との連結部回りに回動するように付勢する付勢部材が設けられると、塵芥投入箱の傾動時、前カバーおよび後カバーがそれらの連結部を中心として互いに上方に向けてく字状に屈曲する方向に回動するよう付勢することから、同方向に確実に回動させることができる。
【００１３】
ここで、付勢部材としては、トーションバーを挙げることができる。
【００１４】
本発明において、前記前カバーの後端または後カバーの前端のいずれか一方に、他方のカバーの端縁部に跨がるシール板が設けられることが好ましい。これにより、前カバーの後端と後カバーの前端に発生する隙間を覆うことができ、それらの隙間を通して雨水などが浸入することを防止できる。
【００１５】
本発明において、前記塵芥投入箱に、後カバーの前端を支持する緩衝部材が設けられることが好ましい。これにより、後カバーを前カバーと連続する平面を形成するように緩衝しつつ支持することができる。
【００１６】
ここで、緩衝部材としては、クッションゴムを挙げることができる。
【発明の効果】
【００１７】
本発明によれば、外観の見栄えを損なうことなく塵芥収容箱と塵芥投入箱との連設部分上部間の隙間を覆って雨水などの浸入を防止することができる。
【発明を実施するための最良の形態】
【００１８】
以下、本発明の実施の形態を図面に基づいて説明する。
【００１９】
図１には、本発明の上部カバーを備えた塵芥収集車１の一実施形態が示されている。
【００２０】
この塵芥収集車１は、車枠２の前部に運転席３が配置される一方、その後部に塵芥投入箱５を連設した塵芥収容箱４が搭載されて構成されている。具体的には、塵芥収容箱４の後面は開放された開口部になされており、この開口部には塵芥投入箱５が当該塵芥投入箱５と塵芥収容箱４との間に連結された図示しない傾動シリンダにより枢軸６（図２参照）を以て傾動可能に連設されている。
【００２１】
塵芥投入箱５内には図示しない従来周知の塵芥積込装置が装備されており、当該塵芥積込装置により塵芥投入箱５の後部に形成された投入部５１から投入した塵芥を塵芥収容箱４に積み込むようになされている。
【００２２】
一方、前記塵芥収容箱４は、車枠２に傾動自在に軸支されており、車枠２と塵芥収容箱４間に配設された図示しないダンプシリンダの伸縮作動によって軸支部回りに傾動し、あるいは、伏倒するようになっている。
【００２３】
したがって、塵芥積込装置によって塵芥収容箱４内へ塵芥を積み込むことができる。また、塵芥投入箱５を上方に傾動させて塵芥収容箱４の後面を開放した状態で塵芥収容箱４を上方に傾動させることによって塵芥を外部に排出することができる（図１の鎖線状態参照）。
【００２４】
ところで、前記塵芥収容箱４と前記塵芥投入箱５の連設部分上部間には本発明の上部カバー７が設けられている。
【００２５】
この上部カバー７は、図２および図３に示すように、前述した塵芥収容箱４と塵芥投入箱５の連設部分上部間を全幅方向にわたって被覆する鋼板製の前カバー８および後カバー９から構成されている。
【００２６】
前カバー８は、図４に詳細に示すように、その前端が塵芥収容箱４の後端上部にＬ字状ステー１４を介して設けられたヒンジ金具１３の一端に連結されている他、その内面には付勢部材としてのトーションバー１０が配設されている。このトーションバー１０は、その一端部が前カバー８に固定され、他端部が塵芥収容箱４の後端上面に自由に当接してねじり力を発生するように設定されている。したがって、前カバー８は、トーションバー１０の他端部が塵芥収容箱４の後端上面に当接してねじり力が作用するとき、その反力によって塵芥収容箱４に対してヒンジ金具１３回りに回動するように付勢される。この場合、ステー１４およびヒンジ金具１３は、幅方向に所定の間隔をおいて複数個設けられている。
【００２７】
一方、後カバー９は、前端が前カバー８の後端にヒンジ金具１３を介して互いに回動自在に連結されるとともに、後端が塵芥投入箱５の前端上部にヒンジ金具１３を介して回動自在に連結されている。そして、塵芥投入箱５の左右側板上部にブラケット１５を介して緩衝部材としてのクッションゴム１１が設けられており、後カバー９の前端の幅方向両端部がクッションゴム１１によって緩衝しつつ支持されるようになっている。この場合、後カバー９は、前端がクッションゴム１１に支持された際に、略水平面を形成するように設定されるとともに、後カバー９にヒンジ金具１３を介して連結された前カバー８が後カバー９に連続して水平面を形成するように設定されている。これらのヒンジ金具１３も、前述したヒンジ金具１３の間隔と同じ間隔をおいて複数個設けられている。
【００２８】
なお、前カバー８の後端には、該前カバー８の幅と同幅の鋼板製のシール板１２の前端が連結されており、該シール板１２の後端は、後カバー９の前端に跨がるように後方に向けて延設されている。このように、シール板１２を設けることにより、前カバー７の後端および後カバー９の前端をヒンジ金具１３を介して連結する際に、それらの後端縁および前端縁間に形成される隙間をシール板１２によって覆うことができ、該隙間を通して雨水などが浸入することを可及的に抑制することができる。
【００２９】
また、前カバー８の後端は、前方に向かって折り返された後、下方に向けて折曲されることにより強度アップが図られている。同様に、後カバー９の前端も、後方に向かって折り返された後、下方に向けて折曲されることに強度アップが図られている。さらに、前カバー８および後カバー９の幅方向の各端縁には、帯状のフラップ８ａ，９ａがそれぞれ垂設されており、側方からの雨水などの浸入を防止している（図２参照）。
【００３０】
次に、このように構成された上部カバー７の作動について説明する。
【００３１】
まず、塵芥収集車１の走行状態においては、図１および図２に示すように、上部カバーを構成する前カバー８および後カバー９は、略水平に連続するように配置されて、塵芥収容箱４と塵芥投入箱５の連設部分上部間を全幅方向にわたって被覆している。これにより、塵芥収容箱４と塵芥投入箱５の連設部分上部間の隙間を通して雨水などが浸入することを防止している。しかも、前カバー８の後端縁および後カバー９の前端縁間の隙間もシール板１２によって覆っており、この隙間からの雨水などの浸入も防止している。また、前カバー８および後カバー９は、あたかも１枚の略水平な板材に形成されて上方への突出部分が発生しないことにより、外観の見栄えを損なうこともない。
【００３２】
一方、塵芥を排出するため、塵芥収容箱４に対して枢軸６回りに塵芥投入箱５を傾動させると、塵芥投入箱５にヒンジ金具１３を介して連結された後カバー９の後端が枢軸６を中心として回動を開始する。これにより、後カバー９の後端は、ヒンジ金具１３を介して塵芥投入箱５との相対的な角度変化が吸収されるとともに、その前端もヒンジ金具１３を介して前カバー８との相対的な角度変化を吸収する。このとき、前カバー８は、図７において、トーションバー１０によってその前端がヒンジ金具１３について反時計回り方向に回動するように付勢されており、その付勢力によって後端にヒンジ金具１３を介して連結されている後カバー９の前端をクッションゴム１１から離脱させるように押し上げる（図７参照）。以下、塵芥投入箱５の傾動を継続することにより、後カバー９は、その後端がヒンジ金具１３回りに回動して塵芥投入箱５との相対的な角度変化を吸収して立ち上げられる一方、前カバー８も、ヒンジ金具１３を介して連結されている後カバー９に規制されつつその前端がヒンジ金具１３回りに回動して塵芥収容箱４との相対的な角度変化を吸収して立ち上げられ、結局、前カバー８および後カバー９は、上方に向けてく字状に屈曲し、塵芥収容箱４に対する塵芥投入箱５の傾動に連動することができる。
【００３３】
塵芥投入箱５の傾動が終了すれば、その後、塵芥収容箱４を傾動させることにより、塵芥収容箱４の内部に積み込まれた塵芥が落下し、外部に排出することができる。この場合、塵芥収容箱４に対する塵芥投入箱５の相対的な位置関係は変化しないことから、上部カバー７を構成する前カバー８および後カバー９は、図８に示した関係を保持している。
【００３４】
塵芥の排出が終了すれば、塵芥収容箱４を伏倒させるとともに、塵芥投入箱５を伏倒させて塵芥収容箱４に連接させることにより、再び塵芥の収集作業を行うことができる。このとき、上部カバー７は、塵芥投入箱５の回動に連動して後カバー９が徐々に立ち上げ角度を小さくするように倒伏し、合わせて後カバー９とのなす角度を相対的に大きくなるように前カバー８を牽引する。そして、塵芥投入箱５が塵芥収容箱４の後面開口部に連接するとき、後カバー９の前端がクッションゴム１１に緩衝しつつ支持されて水平姿勢となるとともに、後カバー９に連結された前カバー８も連続する水平面を形成するように水平姿勢となる。この際、トーションバー１０が塵芥収容箱４の後端上面に当接してねじり力が蓄えられる。
【図面の簡単な説明】
【００３５】
【図１】本発明の上部カバーを備えた塵芥収集車の全体側面図である。
【図２】図１の上部カバーを拡大して示す側面図である。
【図３】図２の上部カバーの平面図である。
【図４】図１の上部カバーにおける前カバーの前端を一部省略して示す側面図である。
【図５】図１の上部カバーにおける前カバーの後端および後カバーの前端を一部省略して示す側面図である。
【図６】図１の上部カバーにおける後カバーの後端を一部省略して示す側面図である。
【図７】塵芥投入箱傾動開始時の上部カバーの作動を一部省略して説明する側面図である。
【図８】塵芥投入箱傾動終了時の上部カバーの作動を一部省略して説明する側面図である。
【符号の説明】
【００３６】
１  塵芥収集車
４  塵芥収容箱
５  塵芥投入箱
７  上部カバー
８  前カバー
９  後カバー
１０  トーションバー
１１  クッションゴム
１２  シール板
【図１】
2008285318.tif 000003
【図２】
2008285318.tif 000004
【図３】
2008285318.tif 000005
【図４】
2008285318.tif 000006
【図５】
2008285318.tif 000007
【図６】
2008285318.tif 000008
【図７】
2008285318.tif 000009
【図８】
2008285318.tif 000010